(57)【特許請求の範囲】
【請求項１】
利用時間を設定して設備を貸与する時間貸設備の管理システムであって、
前記設備は、少なくとも第１の設備と、前記第１の設備と異なる第２の設備とを含み、
前記第１の設備および前記第２の設備の情報を管理するための管理サーバを備え、
前記管理サーバは、
前記第１の設備および前記第２の設備の予約者から当該管理サーバへの情報入力を受け付ける予約者入力手段に通信回線を介して接続され、
前記予約者入力手段を介して予約者から予約を受け付ける予約管理部と、
前記予約管理部が受け付けた前記第１の設備および前記第２の設備の予約者および予約日時に関する予約情報を記憶する記憶部と、
前記予約情報に関連付けられた前記第１の設備および前記第２の設備に対して同一の予約者用解錠キーを設定する予約者用共通キー設定部と、
前記予約者用共通キー設定部にて設定された前記予約者用解錠キーを前記予約者に送付する予約者用キー発行部と、を備え、
前記予約者用共通キー設定部は、前記第１の設備および前記第２の設備の予約日時の開始時に前記第１の設備および前記第２の設備の双方に前記予約者用解錠キーを設定して有効化し、前記第１の設備および前記第２の設備の予約日時の終了時に前記第１の設備および前記第２の設備の双方の前記予約者用解錠キーを無効化する
ことを特徴とする時間貸設備の管理システム。
【請求項２】
請求項１に記載の時間貸設備の管理システムにおいて、
前記管理サーバは、
前記第１の設備および前記第２の設備の利用料金の合計を予約者に対して請求する料金請求部を備える
ことを特徴とする時間貸設備の管理システム。
【請求項３】
請求項１または請求項２に記載の時間貸設備の管理システムにおいて、
前記設備は、前記第１の設備および前記第２の設備と異なる第３の設備を含み、
前記管理サーバは、
前記記憶部に記憶された前記予約情報に係る前記第１の設備の利用者であり、前記予約者と異なる利用者の当該管理サーバへの情報入力を受け付ける利用者入力手段に通信回線を介して接続されるとともに、
前記利用者入力手段を介して前記第３の設備の予約を受け付けることによって、前記第３の設備の利用者に関する利用者情報を前記記憶部に記憶させ、
前記予約情報および前記利用者情報に関連付けられた前記第１の設備および前記第３の設備に対して同一の利用者用解錠キーを設定する利用者用共通キー設定部と、
前記利用者用共通キー設定部にて設定された利用者用解錠キーを前記利用者に送付する利用者用キー発行部と、を備え、
前記利用者用共通キー設定部は、前記第１の設備および前記第３の設備の予約日時の開始時に前記第１の設備および前記第３の設備の双方に前記利用者用解錠キーを設定して有効化し、前記第１の設備および前記第３の設備の予約日時の終了時に前記第１の設備および前記第３の設備の双方の前記利用者用解錠キーを無効化する
ことを特徴とする時間貸設備の管理システム。
【請求項４】
請求項１から請求項３のいずれかに記載の時間貸設備の管理システムにおいて、
前記管理サーバは、
前記記憶部に記憶された前記予約情報に係る前記第１の設備の利用者であり、前記予約者と異なる利用者の当該管理サーバへの情報入力を受け付ける利用者入力手段に通信回線を介して接続され、
前記予約管理部は、
前記予約者入力手段を介して予約者から前記第１の設備を利用して開催するイベントの予約日時および予約場所に関する開催情報を受け付け、受け付けた前記開催情報を前記記憶部に記憶させる予約者受付部と、
前記利用者入力手段を介して前記開催情報に係るイベントの利用者に関する利用者情報を受け付けることによって、前記利用者情報を前記記憶部に記憶させる利用者受付部と、を備え、
前記管理サーバは、前記利用者情報を受け付けたことを前記利用者に通知する利用者通知部を備える
ことを特徴とする時間貸設備の管理システム。
【請求項５】
請求項４に記載の時間貸設備の管理システムにおいて、
前記管理サーバは、
前記記憶部に記憶された前記開催情報に含まれる予約場所に係る場所情報を前記利用者に通知する場所情報通知部を備える
ことを特徴とする時間貸設備の管理システム。
【請求項６】
請求項４または請求項５に記載の時間貸設備の管理システムにおいて、
前記管理サーバは、
前記予約者入力手段を介して前記開催情報に係るイベントにて提供する提供物に関する提供物情報の登録を受け付けることによって、前記提供情報を前記記憶部に記憶させる登録受付部と、
前記利用者入力手段を介して前記提供物情報に係る提供物の利用の申請を受け付ける申請受付部と、を備える
ことを特徴とする時間貸設備の管理システム。
【請求項７】
請求項４から請求項６のいずれかに記載の時間貸設備の管理システムにおいて、
前記管理サーバは、
前記予約者入力手段を介して前記予約者のメッセージを受信する予約者側受信部と、
前記利用者入力手段を介して前記利用者のメッセージを受信する利用者側受信部と、
前記予約者側受信部および利用者側受信部にて受信したメッセージを前記予約者および前記利用者の双方に閲覧させるメッセージ閲覧部と、を備える
ことを特徴とする時間貸設備の管理システム。
【請求項８】
請求項４から請求項７のいずれかに記載の時間貸設備の管理システムにおいて、
前記管理サーバは、
前記開催情報に係るイベントの利用者に対して利用金額を利用者ごとに請求する利用金額請求部を備える
ことを特徴とする時間貸設備の管理システム。
【発明の詳細な説明】
【技術分野】
【０００１】
本発明は、利用時間を設定して設備を貸与する時間貸設備の管理システムに関する。
【背景技術】
【０００２】
従来、ビルやオフィス、ホテル等の空会議室を一般の利用者に向けてレンタルするためのシステムが提案されている（例えば、特許文献１参照）。特許文献１に記載されたレンタルシステムは、インターネット等の通信ネットワークに公開された管理サーバと、会議室の情報が保存された複数の予約サーバと、を備え、予約者が管理サーバを介して予約サーバの会議室情報にアクセスするとともに、所望の会議室を予約することができるように構成されている。さらに、レンタルシステムは、課金機能も備えており、レンタル料金の支払もオンラインで実行できるようになっている。
【先行技術文献】
【特許文献】
【０００３】
【特許文献１】特開２００２−１５０１７８号公報
【発明の概要】
【発明が解決しようとする課題】
【０００４】
しかしながら、特許文献１に記載されたような従来のシステムでは、通信ネットワークを介して予約者から事前に予約および支払ができるものの、予約対象の部屋（空間）を選択して予約するものであり、利用の際には部屋の錠を解錠するための鍵や、部屋に付随する他の設備（例えば、倉庫など）の鍵を予約システムとは異なる他の手段で受け取る必要がある。このため、部屋の予約者は、部屋や他の設備の鍵をそれぞれ受け取ったり返却したりする必要があり、予約者にとっての利便性が劣るとともに、結果として時間貸設備の運用効率低下を招いてしまうことがある。【０００５】
本発明の目的は、予約者の利便性を向上させることで設備の運用効率を高めることができる時間貸設備の管理システムを提供することである。
【課題を解決するための手段】
【０００６】
本発明の時間貸設備の管理システムは、利用時間を設定して設備を貸与する時間貸設備の管理システムであって、前記設備は、少なくとも第１の設備と、前記第１の設備と異なる第２の設備とを含み、前記第１の設備および前記第２の設備の情報を管理するための管理サーバを備え、前記管理サーバは、前記第１の設備および前記第２の設備の予約者から当該管理サーバへの情報入力を受け付ける予約者入力手段に通信回線を介して接続され、前記予約者入力手段を介して予約者から予約を受け付ける予約管理部と、前記予約管理部が受け付けた前記第１の設備および前記第２の設備の予約者および予約日時に関する予約情報を記憶する記憶部と、前記予約情報に関連付けられた前記第１の設備および前記第２の設備に対して同一の予約者用解錠キーを設定する予約者用共通キー設定部と、前記予約者用共通キー設定部にて設定された前記予約者用解錠キーを前記予約者に送付する予約者用キー発行部と、を備え、前記予約者用共通キー設定部は、前記第１の設備および前記第２の設備の予約日時の開始時に前記第１の設備および前記第２の設備の双方に前記予約者用解錠キーを設定して有効化し、前記第１の設備および前記第２の設備の予約日時の終了時に前記第１の設備および前記第２の設備の双方の前記予約者用解錠キーを無効化することを特徴とする。
【０００７】
このような本発明によれば、管理サーバは、予約情報に関連付けられた第１の設備および第２の設備に対して共通の予約者用解錠キーを設定する予約者用共通キー設定部と、予約者用共通キー設定部にて設定された予約者用解錠キーを予約者に発行する予約者用キー発行部を備えているので、予約者は、予約者用解錠キーを使用して第１の設備および第２の設備を解錠することができ、予約者の利便性を向上させることができる。これにより、予約者は、第１の設備に対応した第１の解錠キーと、第２の設備に対応した第２の解錠キーと、をそれぞれ受け取る手間がなくなり、予約者が比較的気軽に設備を予約することができ、設備の運用効率を高めることができる。【０００８】
この際、本発明では、前記管理サーバは、前記第１の設備および前記第２の設備の利用料金の合計を予約者に対して請求する料金請求部を備えることが好ましい。【０００９】
このような構成によれば、管理サーバは、第１の設備および第２の設備の利用料金の合計を予約者に対して請求する料金請求部を備えているので、予約者は、第１の設備および第２の設備の利用料金の合計をまとめて支払うことができる。【００１０】
また、本発明では、前記設備は、前記第１の設備および前記第２の設備と異なる第３の設備を含み、前記管理サーバは、前記記憶部に記憶された前記予約情報に係る前記第１の設備の利用者であり、前記予約者と異なる利用者の当該管理サーバへの情報入力を受け付ける利用者入力手段に通信回線を介して接続されるとともに、前記利用者入力手段を介して前記第３の設備の予約を受け付けることによって、前記第３の設備の利用者に関する利用者情報を前記記憶部に記憶させ、前記予約情報および前記利用者情報に関連付けられた前記第１の設備および前記第３の設備に対して同一の利用者用解錠キーを設定する利用者用共通キー設定部と、前記利用者用共通キー設定部にて設定された利用者用解錠キーを前記利用者に送付する利用者用キー発行部と、を備え、前記利用者用共通キー設定部は、前記第１の設備および前記第３の設備の予約日時の開始時に前記第１の設備および前記第３の設備の双方に前記利用者用解錠キーを設定して有効化し、前記第１の設備および前記第３の設備の予約日時の終了時に前記第１の設備および前記第３の設備の双方の前記利用者用解錠キーを無効化することが好ましい。
【００１１】
このような構成によれば、管理サーバは、予約情報および利用者情報に関連付けられた第１の設備および第３の設備に対して共通の利用者用解錠キーを設定する利用者用共通キー設定部と、利用者用共通キー設定部にて設定された利用者用解錠キーを利用者に発行する利用者用キー発行部とを備えているので、予約者は、予約者用解錠キーを使用して第１の設備および第２の設備を解錠することができ、利用者は、利用者用解錠キーを使用して第１の設備および第３の設備を解錠することができる。【００１２】
また、本発明では、前記管理サーバは、前記記憶部に記憶された前記予約情報に係る前記第１の設備の利用者であり、前記予約者と異なる利用者の当該管理サーバへの情報入力を受け付ける利用者入力手段に通信回線を介して接続され、前記予約管理部は、前記予約者入力手段を介して予約者から前記第１の設備を利用して開催するイベントの予約日時および予約場所に関する開催情報を受け付け、受け付けた前記開催情報を前記記憶部に記憶させる予約者受付部と、前記利用者入力手段を介して前記開催情報に係るイベントの利用者に関する利用者情報を受け付けることによって、前記利用者情報を前記記憶部に記憶させる利用者受付部と、を備え、前記管理サーバは、前記利用者情報を受け付けたことを前記利用者に通知する利用者通知部を備えることが好ましい。【００１３】
このような構成によれば、管理サーバは、第１の設備を利用して開催するイベントの利用者に関する利用者情報を受け付けることによって、利用者情報を記憶部に記憶させる利用者受付部と、利用者情報を受け付けたことを利用者に通知する利用者通知部とを備えているので、利用者は、第１の設備を利用して開催するイベントに対して直接的に利用者情報を登録することができる。これにより、予約者は、予約時点において利用人数を決めておく必要がなく、利用人数が予想できない場合でも比較的気軽に設備を予約することができる。また、利用者は、利用者入力手段を介してイベントへの参加を申し込めば、管理サーバの利用者通知部から通知を受け取ることができる。したがって、時間貸設備の管理システムは、予約者と利用者双方の利便性を向上させることで、予約者の積極的なイベント開催を受け付けるとともに、利用者のイベントへの参加意欲を高めることにより、設備の運用効率を高めることができる。
【００１４】
この際、本発明では、前記管理サーバは、前記記憶部に記憶された前記開催情報に含まれる予約場所に係る場所情報を前記利用者に通知する場所情報通知部を備えることが好ましい。【００１５】
このような構成によれば、管理サーバは、記憶部に記憶された開催情報に含まれる予約場所に係る場所情報を利用者に通知する場所情報通知部を備えているので、利用者は、この場所情報に基づいて、容易に予約場所に辿り着くことができる。【００１６】
また、本発明では、前記管理サーバは、前記予約者入力手段を介して前記開催情報に係るイベントにて提供する提供物に関する提供物情報の登録を受け付けることによって、前記提供情報を前記記憶部に記憶させる登録受付部と、前記利用者入力手段を介して前記提供物情報に係る提供物の利用の申請を受け付ける申請受付部と、を備えることが好ましい。【００１７】
このような構成によれば、管理サーバは、提供物情報の登録を受け付ける登録受付部と、提供物の利用の申請を受け付ける申請受付部とを備えているので、予約者は、利用者に提供する提供物を登録することができ、利用者は、この提供物の利用を申請することができる。【００１８】
また、本発明では、前記管理サーバは、前記予約者入力手段を介して前記予約者のメッセージを受信する予約者側受信部と、前記利用者入力手段を介して前記利用者のメッセージを受信する利用者側受信部と、前記予約者側受信部および利用者側受信部にて受信したメッセージを前記予約者および前記利用者の双方に閲覧させるメッセージ閲覧部と、を備えることが好ましい。【００１９】
このような構成によれば、管理サーバは、予約者側受信部および利用者側受信部にて受信したメッセージを予約者および利用者の双方に閲覧させるメッセージ閲覧部を備えているので、予約者および利用者は、管理サーバを介してメッセージのやりとりをして交流することができる。【００２０】
また、本発明では、前記管理サーバは、前記開催情報に係るイベントの利用者に対して利用金額を利用者ごとに請求する利用金額請求部を備えることが好ましい。【００２１】
このような構成によれば、管理サーバは、イベントの利用者に対してイベントの利用金額を利用者ごとに請求する利用金額請求部を備えているので、予約者は、利用者に対して個別に請求する手間を省略することができる。
【図面の簡単な説明】
【００２２】
【図１】本発明の一実施形態に係る時間貸設備の概略構成図
【図２】前記時間貸設備の管理サーバの構成を示すブロック図
【図３】前記管理サーバにおけるキー発行部の構成を示す図
【図４】前記管理サーバの動作を示すフローチャート
【発明を実施するための形態】
【００２３】
以下、本発明の一実施形態を図面に基づいて説明する。
図１は、本発明の一実施形態に係る時間貸設備の概略構成図である。
本実施形態の時間貸設備は、利用時間を設定して利用者に設備を貸与するレンタルスペースであって、図１に示すように、当該レンタルスペースを管理するための管理サーバ１と、利用者に貸与するための設備である複数の部屋２０と、を備え、複数の部屋２０を有した複数の建物２が存在している。管理サーバ１および建物２と、予約者および利用者が所持する携帯電話やスマートフォン、パーソナルコンピュータ等の端末装置３と、部屋２０の利用を申し込むための予約サイト４と、は通信回線としての公衆ネットワークであるインターネット５を介して相互に接続可能になっている。
【００２４】
部屋２０を予約してイベントを開催しようとする予約者は、予約者入力手段としての端末装置３Ａを用いてインターネット５を介して管理サーバ１にアクセスし、目的に応じた部屋２０を探し、利用時間や利用人数等を指定して部屋２０の予約を実行することができる。イベントに参加しようとする利用者は、利用者入力手段としての端末装置３Ｂを用いてインターネット５を介して予約サイト４にアクセスし、イベントへの参加を申し込むことができる。予約サイト４は、利用者からの申込みを受け付けると、端末装置３Ｂからの予約情報を管理サーバ１に送信する。
【００２５】
建物２は、会議室やトレーニングルーム等の複数の部屋２０を備え、各部屋２０には、出入口２１と、出入口２１を施解錠するための錠装置２２とが設けられている。錠装置２２は、管理サーバ１から予約者および利用者の端末装置３に発行される暗証番号やバーコード等の解錠キーによって解錠可能になっており、この解錠キーは、利用するたびにランダムに変更され、その時間に予約した予約者および利用者だけが固有の解錠キーを用いて錠装置２２を解錠できるようになっている。各部屋２０には、ＬＡＮ（Local Area Network）を介してモデムやルータ等の通信端末装置２３が接続されており、この通信端末装置２３がインターネット５を介して管理サーバ１に接続されている。建物２の各部屋２０は、間仕切り壁２５によって区画され、比較的広い部屋２０Ａと、中間的な広さの部屋２０Ｂと、比較的狭い部屋２０Ｃと、が存在している。なお、本実施形態では、解錠キーは、暗証番号や、バーコード等を採用しているが、例えば、顔認証や、指紋認証や、網膜認証などの生体認証を採用してもよく、錠装置２２を解錠可能とすることができれば、どのようなものであってもよい。
【００２６】
また、建物２には、その外部に複数の駐車場２６が設置されている。本実施形態において、複数の部屋２０は、予約者が主催し利用者が参加するイベントの実施される第１の設備であり、複数の駐車場２６は、予約者が使用可能な第２の設備であるとともに、利用者が使用可能な第３の設備でもある。複数の駐車場２６は、それぞれゲートや車止めポール、警告灯、警告ブザーのような駐車規制装置（錠）が設けられ、この駐車規制装置を解錠キーによって解錠しないと利用できないようになっている。また、駐車規制装置は、通信端末装置２３を介して管理サーバ１に接続されており、管理サーバ１によって解錠キーが設定されるように構成されている。この解錠キーは、錠装置２２の解錠キーと同様に、管理サーバ１から予約者および利用者の端末装置３に発行され、イベントの開催日の開催時間に限定して使用できるようになっている。なお、第２および第３の設備は、駐車場２６に限らず、倉庫やロッカー、シャワールーム、トイレ、飲料サーバ、各種の電子機器、トレーニング機器などであってもよく、それぞれに適宜な使用規制装置（錠）が設けられ、管理サーバ１によって解錠キーが設定可能なものであればよい。
【００２７】
図２は、時間貸設備の管理サーバの構成を示すブロック図である。
管理サーバ１は、サーバ装置によって構成され、図２に示すように、ＣＰＵ（Central Processing Unit）等からなる制御手段３０と、ＨＤＤ（Hard Disk Drive）等の記憶装置からなる記憶手段（記憶部）４０と、を備える。制御手段３０は、予約者から予約された予約情報を管理する予約管理部３１と、端末装置３に対する各種通知を管理する通知管理部３２と、予約情報に基づいて貸与する部屋２０の割り当てを行う設備割当部３３と、予約者および利用者に部屋２０の錠装置２２および駐車場２６を解錠するための解錠キーを発行するキー発行部３４と、イベントにて提供する提供物に関する提供情報を管理する提供物管理部３５と、貸与する部屋２０の貸与料金等の課金情報を管理する課金管理部３６と、予約者および利用者の間で行われるメッセージのやり取りを管理するメッセージ管理部３７と、通信端末装置２３や予約サイト４、端末装置３との通信を制御する通信部３８と、を備えている。
【００２８】
記憶手段４０は、管理する全ての部屋２０および駐車場２６の情報を記憶する設備情報記憶部４１と、部屋２０を利用するイベントの開催情報を記憶する開催情報記憶部４２と、予約に対する部屋２０の割り当て情報を記憶する割当情報記憶部４３と、予約者および利用者に発行する解錠キーの情報を記憶するキー情報記憶部４４と、イベントにて提供する提供物に関する提供情報を記憶する提供物情報記憶部４５と、貸与する部屋２０の貸与料金等の課金情報を記憶する課金情報記憶部４６と、予約者および利用者の間で行われるメッセージを記憶するメッセージ記憶部４７と、を備えている。設備情報記憶部４１には、全ての部屋２０および駐車場２６について、それらが設けられた建物２の住所やアクセス情報等を示す場所情報４１１と、各部屋２０の部屋番号や広さ、用途、付属機器等を示す空間情報４１２と、が記憶されている。空間情報４１２には、建物２に付属する駐車場２６の数や番号などの駐車場情報も含まれている。
【００２９】
なお、予約管理部３１、通知管理部３２、設備割当部３３、キー発行部３４、提供物管理部３５、課金管理部３６、メッセージ管理部３７および通信部３８は、サーバ装置のＣＰＵによりプログラムとして実行されてもよいし、それぞれ独立した機器で構成されてもよいし、クラウドコンピューティングを利用して構成されてもよい。また、記憶手段４０は、ＨＤＤ等の記憶装置によって構成されてもよいし、クラウドサービスの記憶手段を利用したものであってもよい。また、予約者入力手段および利用者入力手段として機能する端末装置３Ａ，３Ｂとしては、予約者および利用者からの入力を受け付ける入力部、予約者および利用者に情報を報知するための表示部、管理サーバ１との間で情報を送受信するための通信部、これらの入力部や表示部、通信部等を制御する制御部を備えたスマートフォン等の機器であってもよいし、入力部、表示部、通信部および制御部がそれぞれ独立した機器で構成されたものであってもよい。
【００３０】
制御手段３０において、予約管理部３１は、予約者の端末装置３Ａからイベントの開催情報を受け付ける予約者受付部３１１と、利用者の端末装置３Ｂを介して開催情報に係るイベントの利用者に関する利用者情報を受け付ける利用者受付部３１２と、を備える。予約者受付部３１１は、受け付けた開催情報に関し、予約者の情報を予約者情報４２１とし、イベント内容や予約した部屋２０の情報を開催情報４２２とし、イベント開催の日時を日時情報４２３として、それぞれの情報を記憶手段４０の開催情報記憶部４２に記憶させる。予約者情報４２１には、予約者が駐車場２６を使用するか否かの情報も含まれる。利用者受付部３１２は、受け付けた利用者情報を開催情報記憶部４２に利用者情報４２４として記憶させるとともに、イベントへの参加を受け付けた利用者の人数を人数情報４２５として開催情報記憶部４２に記憶させる。利用者情報４２４には、利用者が駐車場２６を使用するか否かの情報も含まれる。
【００３１】
通知管理部３２は、利用者情報を受け付けたことを利用者に通知する利用者通知部３２１と、開催情報４２２に含まれる部屋２０の場所に係る場所情報４１１を利用者に通知する場所情報通知部３２２と、を備える。場所情報通知部３２２は、部屋２０の場所情報４１１に基づき利用者に対する通知を生成させ、通信部３８を介して利用者の端末装置３Ｂに場所情報の通知を送信する。設備割当部３３は、開催情報４２２および人数情報４２５に基づいて、部屋２０の割り当て情報を設定し、割り当て情報４３１として割当情報記憶部４３に記憶させる。さらに、設備割当部３３は、開催情報４２２、空間情報４１２、予約者情報４２１および利用者情報４２４に基づいて、駐車場２６の割り当て情報を設定し、部屋２０の割り当て情報４３１に紐づけて割当情報記憶部４３に記憶させる。そして、利用者通知部３２１は、部屋２０の割り当て情報４３１に基づき予約者および利用者に対する通知を生成させ、通信部３８を介して予約者および利用者の端末装置３Ａ，３Ｂに部屋２０の割り当てに関する通知を送信する。
【００３２】
図３は、管理サーバにおけるキー発行部の構成を示す図である。
キー発行部３４は、図３に示すように、予約情報である開催情報４２２に関連付けられた部屋２０の錠装置２２および予約者用の駐車場２６に対して共通の予約者用解錠キーを設定する予約者用共通キー設定部３４１と、予約者用共通キー設定部３４１にて設定された予約者用解錠キーを予約者に発行する予約者用キー発行部３４２と、を備える。さらに、キー発行部３４は、開催情報４２２および利用者情報４２４に関連付けられた部屋２０の錠装置２２および利用者用の駐車場２６に対して共通の利用者用解錠キーを設定する利用者用共通キー設定部３４３と、利用者用共通キー設定部３４３にて設定された利用者用解錠キーを利用者に発行する利用者用キー発行部３４４と、を備える。そして、キー発行部３４は、発行した予約者用解錠キーを予約者用解錠キー情報４４１としてキー情報記憶部４４に記憶させるとともに、発行した利用者用解錠キーを利用者用解錠キー情報４４２としてキー情報記憶部４４に記憶させる。
【００３３】
キー発行部３４は、予約者用解錠キー情報４４１に基づき予約者に対する通知を生成させ、通信部３８を介して予約者の端末装置３Ａに予約者用解錠キーを送信するとともに、利用者用解錠キー情報４４２に基づき利用者に対する通知を生成し、利用者通知部３２１により通信部３８を介して利用者の端末装置３Ｂに利用者用解錠キーを送信する。このように端末装置３Ａ，３Ｂに送信された解錠キーによれば、予約者は、部屋２０の錠装置２２と予約者用の駐車場２６とを共通の予約者用解錠キーによって解錠することができる。利用者は、部屋２０の錠装置２２と利用者用の駐車場２６とを共通の利用者用解錠キーによって解錠することができる。一方、予約者は、予約者用解錠キーでは利用者用の駐車場２６を解錠できず、利用者は、利用者用解錠キーでは予約者用の駐車場２６を解錠することができず、互いに自ら使用可能な駐車場２６だけを使用することができるようになる。すなわち、解錠キーとしては、部屋２０の錠装置２２と駐車場２６とに対応した２桁のコードによって設定され、２桁のコードの組み合わせによって解錠可能と解錠不能とが適宜に設定可能である。例えば、予約者に発行される解錠キーのコードが「ＸＡ」であり、利用者に発行される解錠キーのコードが「ＸＢ」である場合、第１の設備である部屋２０の錠装置２２の解錠コードを「Ｘ（ＡＮＹ）」とし、第２の設備である予約者用の駐車場２６の解錠コードを「ＸＡ」もしくは「（ＡＮＹ）Ａ」とし、第３の設備である利用者用の駐車場２６の解錠コードを「ＸＢ」もしくは「（ＡＮＹ）Ｂ」と設定すればよい。
【００３４】
提供物管理部３５は、図２に示すように、予約者の端末装置３Ａを介してイベントにて提供する提供物に関する提供物情報の登録を受け付ける登録受付部３５１と、利用者の端末装置３Ｂを介して提供物情報に係る提供物の利用の申請を受け付ける申請受付部３５２と、を備える。登録受付部３５１は、予約者から受け付けた提供物情報を提供物情報記憶部４５に提供物情報４５１として記憶させる。ここで、提供物としては、イベントで使用する備品等の物品や、端末装置３などにダウンロード可能な電子データ等であり、物品の場合には、事前に利用者に配送されてもよいし、イベント当日に利用する部屋２０に配送されるようにしてもよい。また、提供物は、有料で販売またはレンタルされるものでもよいし、無料で提供されるものでもよい。そして、提供物が有料の場合には、課金管理部３６がイベントの利用料金に提供物の料金を加算して利用者に請求してもよいし、別途の請求手段によって提供物の料金を利用者に請求するようになっていてもよい。
【００３５】
課金管理部３６は、予約者および利用者に貸与する部屋２０の貸与に係る各種料金を課金情報記憶部４６に課金情報４６１として記憶させる。課金管理部３６は、割り当てた部屋２０の貸与料金と駐車場２６の使用料金を算出する料金算出部３６１と、予約者に対して部屋２０の貸与料金と駐車場２６の使用料金の合計を請求する料金請求部３６２と、イベントの利用者に対して利用金額を利用者ごとに請求する利用金額請求部３６３と、部屋２０の予約者に対してイベントの売上金から部屋２０の貸与料金を差し引いた差額を決済する差額決済部３６４と、を備える。すなわち、部屋２０の予約者であるイベントの主催者が設定したイベントへの参加料金が開催情報４２２に含まれ、利用金額請求部３６３は、部屋２０の利用者であるイベントへの参加者ごとに参加料金を算出して請求する。このように算出した参加料金の合計がイベントの売上金となる。一方、差額決済部３６４は、イベントの売上金から部屋２０の貸与料金を差し引き、この差し引いた差額を差額決済部３６４が決済し、イベントの主催者に対して料金請求部３６２が請求する。したがって、イベントの主催者（予約者）は、部屋２０の貸与料金を支払う必要がなくなり、個々の参加者へ参加料金を請求する必要がなくなる。
【００３６】
メッセージ管理部３７は、予約者の端末装置３Ａを介して予約者のメッセージを受信する予約者側受信部３７１と、利用者の端末装置３Ｂを介して利用者のメッセージを受信する利用者側受信部３７２と、予約者側受信部３７１および利用者側受信部３７２にて受信したメッセージを予約者および利用者の双方に閲覧させるメッセージ閲覧部３７３と、を備える。予約者側受信部３７１は、端末装置３Ａから予約者のメッセージを受信したら、受信したメッセージをメッセージ記憶部４７に予約者メッセージ４７１として記憶させる。利用者側受信部３７２は、端末装置３Ｂから利用者のメッセージを受信したら、受信したメッセージをメッセージ記憶部４７に利用者メッセージ４７２として記憶させる。メッセージ閲覧部３７３は、予約者メッセージ４７１と利用者メッセージ４７２とが判別できるようにしつつ受信したメッセージの閲覧情報を生成し、通信部３８を介して予約者および利用者の端末装置３Ａ，３Ｂに閲覧情報を送信する。
【００３７】
図４は、時間貸設備の管理サーバの動作を示すフローチャートである。
図４のフローチャートでは、予約者により新規の予約を受け付けてからの管理サーバ１の動作手順が示されている。管理サーバ１の制御手段３０は、予約者からの予約を予約管理部３１の予約者受付部３１１が受け付けると（ステップＳＴ１１）、その予約情報に基づき予約者情報４２１、イベントの開催情報４２２および日時情報４２３を開催情報記憶部４２に記憶させる（ステップＳＴ１２）。この際、予約者は、イベントの際に建物の駐車場２６を使用する場合には、部屋２０の予約とともに駐車場２６の使用も申し込み、予約者受付部３１１は、駐車場２６の使用の有無を予約者情報４２１に紐づけて開催情報記憶部４２に記憶させる。次に、制御手段３０は、予約者の端末装置３Ａから提供物の登録があれば、提供物管理部３５の登録受付部３５１が登録を受け付け、その提供物情報４５１を提供物情報記憶部４５に記憶させる（ステップＳＴ１３）。以上により、予約者から部屋２０を利用したイベントの開催が受け付けられると、制御手段３０は、開催情報４２２、日時情報４２３および提供物情報４５１に基づき、予約サイト４またはインターネット５の所定のサイトにイベント開催の告知を表示させる。
【００３８】
イベント開催の告知を閲覧した利用者が端末装置３Ｂから参加申し込みを行うと、制御手段３０は、利用者受付部３１２がイベントの利用者に関する利用者情報を受け付け、利用者情報４２４を開催情報記憶部４２に記憶させる（ステップＳＴ１４）。この際、利用者は、イベントの際に建物の駐車場２６を使用する場合には、参加申し込みとともに駐車場２６の使用も申し込み、利用者受付部３１２は、駐車場２６の使用の有無を利用者情報４２４に紐づけて開催情報記憶部４２に記憶させる。さらに、利用者通知部３２１は、利用者情報４２４を受け付けたことを利用者の端末装置３Ｂに通知する（ステップＳＴ１５）。また、申請受付部３５２は、端末装置３Ｂを介して提供物情報４５１に係る提供物の利用の申請を受け付けると、利用者情報４２４に提供物情報４５１を関連付けて記憶させる（ステップＳＴ１６）。また、メッセージ管理部３７は、予約者側受信部３７１および利用者側受信部３７２が端末装置３Ａ，３Ｂを介して予約者および利用者からのメッセージを受信すると、メッセージ記憶部４７に予約者メッセージ４７１および利用者メッセージ４７２として記憶させ、それらのメッセージをメッセージ閲覧部３７３が予約者および利用者の双方に閲覧させる（ステップＳＴ１７）。このような予約者と利用者との間におけるメッセージのやり取りは、イベントの開催日まで継続して行われるようにしてもよいし、イベント開催後の所定期間を設定してメッセージのやり取りが継続できるようにしてもよい。
【００３９】
次に、制御手段３０は、参加受付を終了する時間になったか否かを判断し（ステップＳＴ１８）、まだ参加受付を終了しない場合（ステップＳＴ１８でＮＯ）、ステップＳＴ１４〜１７を繰り返すことで、複数の利用者からイベント参加の申し込みを受け付け、予約管理部３１が人数情報４２５を更新する。制御手段３０は、参加受付終了時間になったら受付を終了し（ステップＳＴ１８でＹＥＳ）、イベントの開催情報を確定させる（ステップＳＴ１９）。これによりイベントの参加人数（利用者の数）が確定し、確定した人数情報４２５が開催情報記憶部４２に記憶される。次に、制御手段３０は、開催情報４２２、日時情報４２３、人数情報４２５および空間情報４１２に基づき、設備割当部３３に貸与する部屋２０の割り当て情報を設定させ、割当情報記憶部４３に割り当て情報４３１を記憶させる（ステップＳＴ２０）。具体的に設備割当部３３は、全ての部屋２０の空間情報４１２から、日時情報４２３の時間に空いていて開催情報４２２および人数情報４２５に適合した広さの部屋２０を抽出し、抽出した部屋２０を割り当てることとして割り当て情報４３１を設定する。例えば、部屋２０Ａ〜２０Ｃから適宜な広さの部屋２０を抽出する。
【００４０】
以上のようにしてイベントに対して部屋２０が割り当てられたら、制御手段３０は、その部屋２０がある建物の場所情報４１１とともに割り当て情報４３１を通知管理部３２により予約者および利用者の端末装置３Ａ，３Ｂに通知させる（ステップＳＴ２１）。さらに、制御手段３０は、割り当てた部屋２０の錠装置２２を解錠するための解錠キーおよび駐車場２６の解錠キーをキー発行部３４に発行させ、予約者用および利用者用の解錠キー情報４４１，４４２としてキー情報記憶部４４に記憶させるとともに、予約者用解錠キーを予約者の端末装置３Ａに通知させ、利用者用解錠キーを利用者の端末装置３Ｂに通知させる（ステップＳＴ２２）。なお、ここで発行される予約者用および利用者用の解錠キーは、イベントごとに変更され、イベントの開催日時以外の期間には解錠できないようになっている。
【００４１】
次に、イベントの開催日前の所定時期において、制御手段３０は、利用者から申請された提供物の手配を提供物管理部３５に実行させる。具体的には、提供物管理部３５は、契約した販売業者やレンタル業者を通じて提供物を利用者の住居に配送させたり、提供物を予約された部屋２０のある建物に配送させたり、インターネット５に存在する所定のサイトやクラウドサービスの記憶領域に電子データを保存して利用者から閲覧可能な状態にしたりする。次に、イベントの開催日において、制御手段３０は、予約者および利用者に通知した解錠キーによる部屋２０の錠装置２２の解錠操作や駐車場２６の解錠操作を監視し、イベントが開始されたことやイベントが終了されたことを検知し、イベント終了後にキー発行部３４によって解錠キーを無効化する（ステップＳＴ２３）。
【００４２】
以上のように部屋２０を利用したイベントが終了したら、制御手段３０は、予約者に対する部屋２０の貸与料金と、利用者ごとの参加料金とに基づいて、予約者と利用者に対して利用料金を課金管理部３６が算出して請求する。ここでは、まず利用者に対して、イベントの参加料金（レッスン代や講演代等）、駐車場２６の利用料金、提供物の代金などに基づいて、利用者ごとに利用金額請求部３６３が参加料金を算出して請求する（ステップＳＴ２４）。一方、予約者に対して、部屋２０の貸与料金と駐車場２６の利用料金の合計を料金請求部３６２が算出する。次に、制御手段３０は、利用者に請求したイベントの参加料金の合計であるイベントの売上金から、部屋２０の貸与料金を差し引いた差額を差額決済部３６４に算出させ、この差額がプラスであった場合には予約者に差額を支払い、差額がマイナスであった場合には予約者に差額を請求する（ステップＳＴ２５）。また、利用者に請求した提供物の代金については、その提供物の提供者が予約者自身である場合には、代金を予約者に支払い、提供物の提供者が販売業者である場合には、代金を販売業者に支払うという決済処理を実行する。
【００４３】
以上により部屋２０の貸与に関する管理サーバ１の処理が終了し、制御手段３０は、次の予約の受付を待機する。なお、ステップＳＴ１７において、イベント開催後の所定期間メッセージのやり取りが継続できるように設定されている場合、制御手段３０は、メッセージ管理部３７による前述した処理のみを継続して実行させる。
【００４４】
このような本実施形態によれば、以下の作用・効果を奏することができる。
（１）管理サーバ１の制御手段３０は、開催情報４２２および予約者情報４２１に関連付けられた部屋２０および駐車場２６に対して共通の予約者用解錠キーを設定する予約者用共通キー設定部３４１と、予約者用共通キー設定部３４１にて設定された予約者用解錠キーを予約者に発行する予約者用キー発行部３４２を備えているので、予約者は、予約者用解錠キーを使用して部屋２０および駐車場２６を解錠することができ、予約者の利便性を向上させることができる。これにより、予約者は、部屋２０に対応した解錠キーと、駐車場２６に対応した他の解錠キーと、をそれぞれ受け取る手間がなくなり、予約者が比較的気軽に設備を予約することができ、設備の運用効率を高めることができる。
【００４５】
（２）管理サーバ１の制御手段３０は、部屋２０および駐車場２６の利用料金の合計を予約者に対して請求する料金請求部３６２を備えているので、予約者は、部屋２０および駐車場２６の利用料金の合計をまとめて支払うことができる。
【００４６】
（３）管理サーバ１の制御手段３０は、開催情報４２２および利用者情報４２４に関連付けられた部屋２０および駐車場２６に対して共通の利用者用解錠キーを設定する利用者用共通キー設定部３４３と、利用者用共通キー設定部３４３にて設定された利用者用解錠キーを利用者に発行する利用者用キー発行部３４４とを備えているので、予約者は、予約者用解錠キーを使用して部屋２０および予約者用の駐車場２６を解錠することができ、利用者は、利用者用解錠キーを使用して部屋２０および利用者用の駐車場２６を解錠することができる。
【００４７】
（４）管理サーバ１の制御手段３０は、部屋２０を利用して開催するイベントの利用者に関する利用者情報４２４を受け付けることによって、利用者情報４２４を記憶手段４０に記憶させる利用者受付部３１２と、利用者情報４２４を受け付けたことを利用者に通知する利用者通知部３２１とを備えているので、利用者は、部屋２０を利用して開催するイベントに対して直接的に利用者情報４２４を登録することができる。これにより、予約者は、予約時点において利用人数を決めておく必要がなく、利用人数が予想できない場合でも比較的気軽に設備を予約することができる。また、利用者は、端末装置３Ｂを介してイベントへの参加を申し込めば、管理サーバ１の利用者通知部３２１から通知を受け取ることができる。したがって、時間貸設備は、予約者と利用者双方の利便性を向上させることができる。
【００４８】
（５）管理サーバ１の制御手段３０は、開催情報記憶部４２に記憶された開催情報４２２に含まれる部屋２０および建物２に係る場所情報４１１を利用者に送信する場所情報通知部３２２を備えているので、利用者は、この場所情報４１１に基づいて、容易に建物２と部屋２０に辿り着くことができる。
【００４９】
（６）管理サーバ１の制御手段３０は、予約者から提供物情報４５１の登録を受け付ける登録受付部３５１と、利用者から提供物の利用の申請を受け付ける申請受付部３５２とを備えているので、予約者は、利用者に提供する提供物を登録することができ、利用者は、この提供物の利用を申請することができる。
【００５０】
（７）管理サーバ１の制御手段３０は、予約者側受信部３７１および利用者側受信部３７２にて受信したメッセージを予約者および利用者の双方に閲覧させるメッセージ閲覧部３７３を備えているので、予約者および利用者は、管理サーバ１を介してメッセージのやりとりをして交流することができる。
【００５１】
（８）管理サーバ１の制御手段３０は、部屋２０を利用して開催するイベントの利用者に対してイベントの利用金額を利用者ごとに請求する利用金額請求部３６３を備えているので、予約者は、利用者に対して個別に請求する手間を省略することができる。
【００５２】
（９）管理サーバ１の制御手段３０は、部屋２０を利用して開催するイベントの予約者に対してイベントの売上金から部屋２０の利用料金を差し引いた差額を決済する差額決済部３６４を備えているので、予約者は、利用者に対して個別に請求する手間や、部屋２０の利用料金を支払う手間を省略することができる。
【００５３】
（１０）管理サーバ１の制御手段３０は、イベントの開催情報４２２および人数情報４２５に基づいて、部屋２０の割り当て情報４３１を設定するとともに、設定した割り当て情報４３１を利用者通知部３２１から利用者に通知させる設備割当部３３を備えることで、利用人数に応じて相応の広さの部屋２０を割り当てることができる。したがって、予約者は、予約時点において利用人数が予想できない場合でも比較的気軽に部屋２０を予約することができるとともに、利用人数が変化した場合でも適切な規模の部屋２０の割り当てを受けることができる。これにより、時間貸設備は、利用者からの積極的な予約を受け付けるとともに、利用満足度の向上により繰り返し利用者の増加が見込まれ、運用効率を高めることができる。
【００５４】
（１１）制御手段３０の設備割当部３３は、貸与可能な全ての部屋２０のうちの少なくとも一部の部屋２０を割り当てるとともに、割り当てた部屋２０に関する割り当て情報４３１を更新することで、人手により部屋２０を割り当てる場合と比較して人件費を抑えることができるとともに、利用人数に変更があったときに即座に割り当て情報４３１を更新して利用者に報知することができる。
【００５５】
〔実施形態の変形〕
なお、本発明は、前記実施形態に限定されるものではなく、本発明の目的を達成できる範囲での変形、改良等は本発明に含まれるものである。
例えば、前記実施形態では、時間貸設備として建物２の部屋（空間）２０を貸与する場合を例示したが、時間貸設備における貸与する設備としては、会議室やトレーニングルーム等に限らず、屋外のスペースであるテニスコートや野球場、競技場、駐車場等であってもよいし、カラオケルームやレンタルオフィス、読書スペース等であってもよい。さらに、時間貸設備としては、建物２等の不動産に付帯するものに限らず、様々な物品などの動産であってもよいし、自動車や船などの移動物を設備として貸与してもよい。
【００５６】
前記実施形態では、管理サーバ１は、通信回線であるインターネット５を介して端末装置３や通信端末装置２３等に接続されたサーバ装置によって構成される場合を例示したが、管理サーバとしては、このような集中管理型のサーバ装置によって構成されるものに限られない。すなわち、管理サーバとしては、分散管理型のものであってもよく、例えば、ブロックチェーンに代表される分散型取引台帳を利用したものなどが利用可能であり、予約情報を管理するとともに、端末装置３等に対して各種の指令を送受信して処理できるものであればよい。また、前記実施形態では、管理サーバ１と予約サイト４とが別個に設けられるとともに、互いにインターネット５を介して接続されていたが、これに限らず、管理サーバ１と予約サイト４とが単一のサイトに設けられていてもよいし、管理サーバの機能と予約サイトの機能とがインターネット上に分散された複数の機器によって構成されていてもよい。
【００５７】
前記実施形態では、管理サーバ１の制御手段３０は、設備割当部３３を備え、設備割当部３３が自動で割り当て情報４３１を更新したが、このような設備割当部３３によって自動で割り当て情報４３１を更新せずに、管理者等の人手によって手動で割り当て情報を更新してもよい。また、制御手段３０の設備割当部３３は、利用人数の変更に応じて割り当て情報４３１を更新する際に、同一の建物２内の全部屋２０から一部の部屋２０を割り当てたが、これに限らず、近隣に存在する他の建物２の部屋２０を割り当てるようにしてもよい。このような他の建物２としては、所有者や管理者が同一であってもよいし異なっていてもよく、複数の所有者（管理者）が提携して建物２の部屋２０を貸与する運営形態であってもよい。
【００５８】
また、前記実施形態において、管理サーバ１の制御手段３０は、開催情報４２２に含まれる部屋２０および建物２に係る場所情報４１１を利用者の端末装置３Ｂに送信する場所情報通知部３２２を備えていたが、場所情報４１１を利用者の端末装置３Ｂに送信するのではなく、所定のサイトに掲載するようにしてもよいし、メッセージ閲覧部３７３によって表示させるようにしてもよい。また、制御手段３０は、予約者から提供物情報４５１の登録を受け付ける登録受付部３５１と、利用者から提供物の利用の申請を受け付ける申請受付部３５２とを備えていたが、このような提供物の登録、申請に関する機能は、管理サーバ１ではなく外部サーバ（例えば、販売業者のサイト）等に設けられ、管理サーバ１から利用者へ外部サーバへのアクセス手順を通知するだけでもよい。また、制御手段３０は、予約者側受信部３７１および利用者側受信部３７２にて受信したメッセージを予約者および利用者の双方に閲覧させるメッセージ閲覧部３７３を備えていたが、このようなメッセージの受付、閲覧に関する機能は、管理サーバ１ではなく外部サーバ等に設けられ、管理サーバ１から利用者へ外部サーバへのアクセス手順を通知するだけでもよい。
【００５９】
また、前記実施形態において、管理サーバ１の制御手段３０は、部屋２０を利用して開催するイベントの利用者に対してイベントの利用金額を利用者ごとに請求する利用金額請求部３６３を備えていたが、このようなイベントの利用金額請求に関する機能は、管理サーバ１ではなく外部サーバ等に設けられていてもよい。また、制御手段３０は、イベントの主催者である予約者に対してイベントの売上金から部屋２０の利用料金を差し引いた差額を決済する差額決済部３６４を備えていたが、このような決済機能は省略されてもよいし、外部サーバ等に設けられていてもよい。
【００６０】
また、前記実施形態では、時間貸設備が貸与する設備として、第１の設備が部屋２０であり、第２の設備が予約者用の駐車場２６であり、第３の設備が利用者用の駐車場２６である場合を例示したが、第１〜第３の設備は、前記実施形態の組み合わせに限られない。例えば、第１の設備が建物や施設等の不動産であり、第２、第３の設備が自動車等の移動体であってもよいし、これとは逆に、第１の設備が移動体であり、第２、第３の設備が不動産であってもよい。また、第１の設備と第２の設備が不動産であり、第３の設備が移動体を含む物品であってもよいし、第１の設備と第２の設備が移動体を含む物品であり、第３の設備が不動産であってもよい。すなわち、第１の設備は、予約者が予約して利用者が利用する際に共通の解錠キーで解錠できるものであり、第２、第３の設備は、予約者および利用者が個々の解錠キーで解錠できるものであればよく、これらの設備は任意に選択したものを組み合わせて構成することができる。
【産業上の利用可能性】
【００６１】
以上のように、本発明は、予約者と利用者双方の利便性を向上させることで設備の運用効率を高めることができる時間貸設備の管理システムに好適に利用できる。
【符号の説明】
【００６２】
１      管理サーバ
３，３Ａ  端末装置（予約者入力手段）
３，３Ｂ  端末装置（利用者入力手段）
５      インターネット（通信回線）
２０      部屋（第１の設備）
２２      錠装置
２６      駐車場（第２の設備、第３の設備）
３０      制御手段
３１      予約管理部
３２      通知管理部
３３      設備割当部
３４      キー発行部
３５      提供物管理部
３６      課金管理部
３７      メッセージ管理部
４０      記憶手段（記憶部）
４１      設備情報記憶部
４２      開催情報記憶部
４３      割当情報記憶部
４４      キー情報記憶部
４５      提供物情報記憶部
４６      課金情報記憶部
４７      メッセージ記憶部
３１１    予約者受付部
３１２    利用者受付部
３２１    利用者通知部
３２２    場所情報通知部
３４１    予約者用共通キー設定部
３４２    予約者用キー発行部
３４３    利用者用共通キー設定部
３４４    利用者用キー発行部
３５１    登録受付部
３５２    申請受付部
３６１    料金算出部
３６２    料金請求部
３６３    利用金額請求部
３６４    差額決済部
３７１    予約者側受信部
３７２    利用者側受信部
３７３    メッセージ閲覧部
【要約】
【課題】予約者の利便性を向上させることで設備の運用効率を高めることができる時間貸設備を提供。
【解決手段】時間貸設備の情報を管理するための管理サーバ１は、予約者から予約を受け付ける予約管理部３１と、予約管理部３１が受け付けた部屋２０および駐車場２６の予約者および予約日時に関する予約情報を記憶する記憶手段４０と、予約情報に関連付けられた部屋２０および駐車場２６に対して共通の予約者用解錠キーを設定する予約者用共通キー設定部３４１と、設定した予約者用解錠キーを予約者に発行する予約者用キー発行部３４２と、を備える。予約者は、予約者用解錠キーを使用して部屋２０および駐車場２６を解錠することができ、予約者の利便性を向上させることができる。
【選択図】図２【図１】
0006780892.tif 000002
【図２】
0006780892.tif 000003
【図３】
0006780892.tif 000004
【図４】
0006780892.tif 000005